(57)【要約】  メディア（例えば、テレビメディア）を選択するための様々な技術が説明される。メディア選択方法は、テレビジャンルなどのカテゴリーを選択するためのツールをユーザーに表示する。ユーザー選択を受け取ると、幾つかのチャンネルを有する選択されたカテゴリーが、チャンネル選択スペクトル（例えば、円弧型チャンネル選択スペクトル）上に視覚的に示される。例えば、選択されたカテゴリーがスポーツである場合、スポーツチャンネルに対応する幾つかのチャンネルが、チャンネル選択スペクトル上で強調表示される。更に、一例では、チャンネル選択スペクトルは、タッチスクリーン装置と連携して機能する。このため、ユーザーは、自分の指を用いてナビゲートして、利用可能なチャンネルを迅速に選択し、ブラウズすることができる。また、オプションとして、強調表示されていないチャンネルが自動的に無視されて、ユーザーナビゲーションを補助する。更に、チャンネルのユーザー選択を受け取ると、一例では、選択されたチャンネルに対応するメディアコンテンツが再生される。
2010516090.tif 000002
【特許請求の範囲】
【請求項１】
複数のカテゴリーから特定のカテゴリーを選択するためのカテゴリー選択ツールを有するユーザーインターフェースを表示するステップと、
前記複数のカテゴリーのうちの或るカテゴリーのユーザー選択を受け取るステップであって、前記の選択されたカテゴリーは複数のチャンネルを含むステップと、
複数の離散的なインターバルに分けられたチャンネル選択スペクトルを表示するステップであって、前記複数の離散的なインターバルの各離散的なインターバルはチャンネルを表すステップと、
前記選択されたカテゴリーの前記複数のチャンネルに対応する前記複数の離散的なインターバルのうちの離散的なインターバルのサブセットを表示するステップであって、チャンネル選択機構は、ユーザーが、前記選択されたカテゴリーの前記複数のチャンネルをブラウズするように離散的なインターバルの前記サブセットをナビゲートすることを可能にするステップと、
前記選択されたカテゴリーの前記複数のチャンネルのうちの或るチャンネルのユーザー選択を受け取るステップと、
選択されたチャンネルに対応するメディアコンテンツを再生するステップと
を含む方法。
【請求項２】
前記選択されたカテゴリーの前記複数のチャンネルに対応する離散的なインターバルの前記サブセットを強調表示するステップを更に含む、請求項１に記載の方法。
【請求項３】
前記チャンネル選択機構は、強調表示されていない離散的なインターバルを自動的に無視する、請求項２に記載の方法。
【請求項４】
前記チャンネル選択スペクトルは楕円形であり、前記複数の離散的なインターバルのうちの離散的なインターバルの前記サブセットは、前記チャンネル選択スペクトルの様々な角度位置に配置され、前記楕円形のチャンネル選択スペクトルは、ユーザーからの回転の動きを、離散的なインターバルの前記サブセットをダイヤルするコマンドとして解釈するように構成される、請求項１に記載の方法。
【請求項５】
前記複数の離散的なインターバルの各離散的なインターバルは線によって表される、請求項１に記載の方法。
【請求項６】
前記複数の離散的なインターバルの各離散的なインターバルは、該各離散的なインターバルに隣接する離散的なインターバルとは異なる色を視覚的に割り当てられる、請求項１に記載の方法。
【請求項７】
前記選択されたチャンネルに対応する離散的なインターバルに近接する離散的なインターバルを視覚的に拡大するステップを更に含む、請求項１に記載の方法。
【請求項８】
離散的なインターバルの前記サブセットは、複数のチャンネルアイランドに編成され、前記複数のチャンネルアイランドの各チャンネルアイランドは、前記選択されたカテゴリーのサブカテゴリーを表す、請求項１に記載の方法。
【請求項９】
第１のタイプのメディアコンテンツを再生するチャンネルに対応する前記複数の離散的なインターバルの第１の離散的なインターバルが、第２のタイプのメディアコンテンツを再生するチャンネルに対応する前記複数の離散的なインターバルの第２の離散的なインターバルとは視覚的に区別される、請求項１に記載の方法。
【請求項１０】
前記メディアコンテンツはテレビコンテンツを含む、請求項１に記載の方法。
【請求項１１】
前記メディアコンテンツは音楽コンテンツを含む、請求項１に記載の方法。
【請求項１２】
カテゴリーは映画チャンネルを含む、請求項１に記載の方法。
【請求項１３】
複数のテレビジャンルのうちのテレビジャンルを選択するための選択機構を表示するステップと、
前記複数のテレビジャンルのうちのテレビジャンルに関するユーザー選択を受け取るステップであって、前記テレビジャンルは複数のチャンネルを含むステップと、
円形チャンネル選択インターフェースを表示するステップであって、チャンネルスペクトルが前記円形チャンネル選択インターフェースの一部分を占め、前記チャンネルスペクトルが複数の離散的なセクションへ分けられ、前記複数の離散的なセクションの少なくとも１つの離散的なセクションが、前記選択されたテレビジャンルの前記複数のチャンネルのうちのチャンネルに対応し、前記円形チャンネル選択インターフェースは、ユーザーが、径方向の動きに基づく入力を介して、前記チャンネルスペクトルの前記複数のチャンネルを容易にナビゲートすることを可能にするように構成されるステップと、
前記選択されたテレビジャンルの第１のチャンネルを表示するステップと、
ユーザーから径方向の動きに基づく入力を受け取るステップと、
前記径方向の動きに基づく入力に応答して、前記選択されたテレビジャンルの第２のチャンネルに自動的に遷移して、該第２のチャンネルを表示するステップと
を含むステップを実行するためのコンピューター実行可能命令を有するコンピューター可読媒体。
【請求項１４】
前記選択されたテレビジャンルの前記複数のチャンネルに対応する前記複数の離散的なセクションのうちの１つ又は複数の離散的なセクションが強調表示され、ユーザーから径方向の動きに基づく入力を受け取ると、強調表示されていない離散的なセクションに対応するチャンネルが自動的に無視される、請求項１３に記載のコンピューター可読媒体。
【請求項１５】
前記テレビジャンルは、第１の組のメタデータに関連する第１のチャンネルと、第２の組のメタデータに関連する第２のチャンネルとを含み、前記第１の組のメタデータは、前記第２の組のメタデータに関連する、請求項１３に記載のコンピューター可読媒体。
【請求項１６】
前記複数のチャンネルは複数のグループに編成され、前記複数のグループのうちの各グループは、前記選択されたテレビジャンルのサブジャンルを表す、請求項１３に記載のコンピューター可読媒体。
【請求項１７】
複数の離散的なインターバルを有する円弧型マルチメディアアセット選択スペクトルであって、前記複数の離散的なインターバルのうちのそれぞれの離散的なインターバルが、複数のマルチメディアアセットのうちのマルチメディアアセットに対応し、当該円弧型マルチメディアアセット選択スペクトルが、径方向の動きに基づく選択をユーザーから受け取るように構成され、前記複数のマルチメディアアセットのうちのそれぞれのマルチメディアアセットが、複数のカテゴリーのうちのカテゴリーに分類可能である円弧型マルチメディアアセット選択スペクトルと、
前記複数のカテゴリーのうちのカテゴリーを選択するためのカテゴリー選択要素であって、前記複数のカテゴリーのうちのカテゴリーが選択された場合、前記選択されたカテゴリーの下に分類された１つ又は複数のマルチメディアアセットに対応する１つ又は複数の離散的なインターバルが強調表示され、前記複数のインターバルのうちの離散的なインターバルが強調表示されない場合、前記強調表示されない離散的なインターバルは、径方向の動きに基づく選択がユーザーから受け取られている間、自動的に無視されるカテゴリー選択要素と
を含むインターフェース。
【請求項１８】
前記複数のマルチメディアアセットはＶＯＤ（ビデオオンデマンド）メディアを含む、請求項１７に記載のインターフェース。
【請求項１９】
前記複数のマルチメディアアセットはオーディオメディアを含む、請求項１７に記載のインターフェース。
【請求項２０】
前記複数のマルチメディアアセットは順次メディアを含む、請求項１７に記載のインターフェース。
【発明の詳細な説明】
【背景技術】
【０００１】
利用可能なテレビコンテンツの量が、近年、顕著に増加している。国内チャンネルの数が増加しただけでなく、多種多様な外国チャンネルも、衛星伝送を介して視聴者にとって利用可能である。
【０００２】
このため、今日、視聴者は、しばしば、様々なジャンル（例えば、スポーツ、映画、料理ショー、アニメ、サイエンスフィクションなど）からの様々な視聴可能なコンテンツを提供する数百のテレビチャンネルへのアクセスを有する。更に、ジャンル自体が、相当な数のチャンネルを含み得る。例えば、スポーツのジャンルの下で、バスケットボール専用のチャンネル、野球専用のチャンネル、フットボール専用のチャンネル、ゴルフ専用のチャンネルなどが存在することが可能である。
【０００３】
従来、テレビを観ているユーザーは、数字をベースとするリモコンを使用して、テレビコンテンツを選択した。通常の数字ベースのリモコンは、数字キーを有し、更に、チャンネルアップキー及びチャンネルダウンキーを有する。数字キーを用いて数字の或る組み合わせ（例えば、チャンネル１２を表す１２）を入力することにより、テレビ視聴者は、所望のチャンネルに向けられる。また、チャンネルアップキー及びチャンネルダウンキーは、視聴者が、利用可能なチャンネルを順次にブラウズすることを可能にする。
【０００４】
しかし、数字ベースのリモコンは、容易に利用可能なテレビチャンネルの数がはるかに少なかった過去においては十分であったものの、様々な理由により、今日、利用可能な多数のチャンネルをナビゲートするためには、それほど効率的でない。例えば、視聴者は、映画を見せるテレビチャンネルなどの、或る特定のジャンルに属するテレビコンテンツを視聴することだけにしか関心がないことがある。
【０００５】
しかし、そのようなシナリオにおいて、或る特定のジャンルの特定のテレビチャンネルを探し出すことは、チャンネルの総数が相当に多い場合、困難であり得る。これに応えて、従来、一部のユーザーは、関心対象の幾つかのテレビチャンネルを探し出すのを補助するＥＰＧ（電子番組ガイド）にアクセスする。それでも、ＥＰＧは、典型的には、大量の情報を包含するため、本来的に複雑である。このため、ＥＰＧを効率的に使用するため、ユーザーは、特定のチャンネルに関して或る程度の予備知識を有する必要がある。例えば、ユーザーは、関心対象のチャンネルを見つけるために、チャンネル名、放送時間又は番組名を知る必要がある。予備知識がないと、ユーザーは、ＥＰＧを分かりづらく、使うのに気後れがすると感じる可能性がある。
【発明の概要】
【発明が解決しようとする課題】
【０００６】
ＥＰＧとは別に、ユーザーは、単に従来の数字ベースのリモコンを使用して、ブラウズすることも可能である。しかし、そのようなシナリオでは、ユーザーは、（１）利用可能な映画チャンネルを求めて１つずつチャンネルをブラウズしなければならない、又は（２）ユーザーが、映画チャンネルのリストを有する場合、１つの映画チャンネルを見るのに或るチャンネル数字セットを入力し、別の映画チャンネルを見るのに別のチャンネル数字セットを入力するといった具合にしなければならない。このため、選択する多くのチャンネルがある状況で、そのような従来の数字ベースのリモコンは、ユーザーにとってすぐに面倒なものになる。
【０００７】
更に、ユーザーが、数字ベースのリモコンの詳細なレイアウトをメモリーに記憶させている可能性は低いため、従来の数字ベースのリモコンは、暗い場合に使用するのが困難である。例えば、ユーザーは、視認性が低い場合にチャンネル数字を打ち込むことをもどかしく感じる。
【課題を解決するための手段】
【０００８】
この概要は、詳細な説明において後段で更に説明される選定された概念を、簡略化された形態で概説するために与えられる。この概要は、特許請求される主題の重要な特徴や不可欠な特徴を特定することを意図しておらず、特許請求される主題の範囲を確定する際の助けとして使用されることも意図していない。
【０００９】
メディア（例えば、テレビメディア）を選択するための様々な技術が説明される。メディア選択方法は、テレビジャンルなどのカテゴリーを選択するためのツールをユーザーに表示する。ユーザー選択を受け取ると、幾つかのチャンネルを有する選択されたカテゴリーが、チャンネル選択スペクトル（例えば、円弧チャンネル選択スペクトル）上に視覚的に示される。例えば、選択されたカテゴリーがスポーツである場合、スポーツチャンネルに対応する幾つかのチャンネルが、チャンネル選択スペクトル上で強調表示される。更に、一例では、チャンネル選択スペクトルは、タッチスクリーン装置と連携して機能する。このため、ユーザーは、自分の指を用いてナビゲートして、利用可能なチャンネルを迅速に選択し、ブラウズすることができる。また、オプションとして、強調表示されていないチャンネルが自動的に飛ばされて、ユーザーナビゲーションを補助する。更に、チャンネルのユーザー選択を受け取ると、一例では、選択されたチャンネルに対応するメディアコンテンツが再生される。
【００１０】
実施の形態は、或る特定のカテゴリーの様々なチャンネルをブラウズすることに関心のあるユーザーが、その特定のカテゴリーにだけ属するチャンネル間を容易にナビゲートし、関心のないカテゴリーからのチャンネルに煩わされないことを可能にする。また、ユーザーが、その特定のメディアカテゴリーに集中した後、ユーザーは、チャンネル選択スペクトルを使用することにより、その特定のカテゴリーの様々なチャンネル間を効率的にナビゲートする（例えば、径方向の動きを介してナビゲートする）ことができる。
【図面の簡単な説明】
【００１１】
【図１】メディア選択インターフェースの一つの実施の形態を示す図である。
【図２】直線メディア選択インターフェースの一つの実施の形態を示す図である。
【図３Ａ】動作中のテレビ選択インターフェースの一つの実施の形態を示す図である。
【図３Ｂ】動作中のテレビ選択インターフェースの一つの実施の形態を示す図である。
【図４Ａ】動作中のテレビ選択インターフェース及びディスプレイの一つの実施の形態を示す図である。
【図４Ｂ】動作中のテレビ選択インターフェース及びディスプレイの一つの実施の形態を示す図である。
【図５Ａ】動作中の音楽選択インターフェースの一つの実施の形態を示す図である。
【図５Ｂ】動作中の音楽選択インターフェースの一つの実施の形態を示す図である。
【図６】メディア選択の方法を示す例示的な流れ図である。
【図７】テレビチャンネル選択の方法を示す例示的な流れ図である。
【図８】ＶＯＤセンターからユーザーにＶＯＤコンテンツを配信するための例示的なシステムを示す図である。
【図９】例示的なタッチスクリーンリモコン装置を示す図である。
【図１０】主張される主題を実施するための例示的なコンピューティング装置を示す図である。
【発明を実施するための形態】
【００１２】
次に、実例が添付の図面に示される、様々な実施の形態を詳細に参照する。特許請求される主題は、これらの実施の形態に関連して説明されるが、これらの実施の形態は、特許請求される主題をこれらの実施の形態に限定することは意図していないことが理解されよう。それどころか、特許請求される主題は、添付の特許請求の範囲によって規定される主題の趣旨及び範囲に含まれ得る代替形態、変形形態及び均等形態を範囲に含むことを意図している。更に、この特許請求される主題の以下の詳細な説明において、この特許請求される主題の徹底的な理解をもたらすため、多数の特定の詳細が示される。しかし、この特許請求される主題は、これらの特定の詳細なしに実施されてもよいことが当業者には明白であろう。その他、よく知られている方法、手順、構成要素及び回路は、特許請求される主題の態様を不必要に不明瞭にしないよう、詳細には説明されていない。
【００１３】
以下の詳細な説明の幾つかの部分は、手順、論理ブロック、処理、並びにコンピューターメモリー内のデータビットに対する操作の他の記号表現を用いて提示される。これらの説明及び表現は、データ処理技術分野における業者によって、作業の内容を他の業者に最も効率的に伝えるように使用される手段である。手順、論理ブロック、プロセスなどは、本明細書において、更に一般的にも、所望される結果をもたらす自己矛盾のない一連のステップ又は命令と考えられる。これらのステップは、物理量の物理的操作を要するステップである。通常、ただし必ずという訳ではないが、これらの量は、コンピューターシステムにおいて格納され、転送され、組み合わされ、比較され、又はそれ以外で操作されることが可能な電気信号又は磁気信号の形態をとる。ときとして、主に用法の理由で、これらの信号をビット、バイト、値、要素、記号、文字、項、数などと呼ぶことが好都合であることが分かっている。
【００１４】
しかし、これらの、及び類似した用語のすべては、適切な物理量に関連付けられるべきであり、単に、これらの量に付けられた便利なラベルに過ぎないことに留意しなければならない。以下の説明から明らかなとおり、特に明記しない限り、特許請求される主題の全体にわたって、「表示する」、「受け取る」、「遷移する」、「再生する」、「強調表示する」、「拡大する」などの用語を利用する説明は、コンピューターシステムのレジスター内の物理（電子的）量として表されたデータを操作して、コンピューターシステムメモリーもしくはレジスター又は他のそのような情報記憶装置、情報伝送装置又は情報表示装置の中の物理量として同様に表される他のデータに変換する、コンピューターシステム又は類似した電子コンピューティング装置の動作及び処理について述べていることを認識されたい。
【００１５】
前述したとおり、従来の数字ベースのリモコンは、多数のテレビチャンネル間をナビゲートすることに関して効率的ではない。他にも欠点はあるが、とりわけ、従来の数字ベースのリモコンは、或る特定のジャンル（例えば、映画チャンネル）の異なるチャンネルの間でブラウズする容易な方法をテレビ視聴者にもたらさない。更に、ＥＰＧは複雑であり、新たなユーザーには気後れがするものであり得る。
【００１６】
これに対して、実施の形態は、テレビ視聴者が関心を有する様々なジャンルの様々なテレビチャンネルの間で効率的にブラウズする方法をテレビ視聴者にもたらす、ユーザーフレンドリーなインターフェースを例示する。一例では、テレビチャンネルを選択するための方法が、テレビジャンル選択ツールなどのジャンル選択ツールを有するＧＵＩ（グラフィカルユーザーインターフェース）を表示することを含む。このジャンル選択ツールは、ユーザーが、関心対象の或る特定のテレビジャンルを容易に選択することを可能にする。例えば、ユーザーは、ジャンル選択ツールを使用して、スポーツジャンルを選択することができる。また、幾つかのチャンネルを表すチャンネル選択スペクトルが表示される。チャンネル選択スペクトルは、テレビスクリーン、コンピュータースクリーン及び／又はタッチスクリーンリモコン装置のタッチスクリーン上に表示されることが可能である。チャンネル選択スペクトルは、利用可能なチャンネルのそれぞれを、チャンネル選択スペクトル上の個別の線として視覚的に示す。ユーザーが或るジャンルを選択すると、チャンネル選択スペクトルは、その選択されたジャンルの下に分類されたすべてのチャンネルを自動的に強調表示する。この強調表示は、ユーザーが、選択されたジャンルのすべてのチャンネル間を迅速にブラウズすることを可能にする。更に、選択されたジャンルの下に属さないその他のすべてのチャンネルは、ユーザーナビゲーションを補助するよう、自動的に無視される。
【００１７】
チャンネル選択スペクトルを用いたチャンネル選択は、従来の数字ベースのリモコンより直観的である。これは、一つには、ユーザーが、或る特定のジャンルを選択すると、その選択されたジャンルに属するチャンネルが自動的に強調表示され、これによって、ユーザーが、関心のあるチャンネルを見ることを容易にし、ユーザーからの予備知識を要求しないためである。これに対して、従来の数字ベースのリモコンは、関連するチャンネルがどこで見つかるのかについての情報を、ユーザーに全く提供しない。
【００１８】
或る特定のチャンネルに関するユーザー選択が受け取られると、対応するテレビコンテンツが表示される。少なくともこのようにして、実施の形態は、或る特定のジャンルの様々なチャンネルをブラウズすることに関心があるユーザーが、関心対象のジャンル（例えば、スポーツ）に属するチャンネルだけを容易にナビゲートし、その他のジャンル（例えば、料理ショー、連続ドラマなど）からのチャンネルによって煩わされないことを可能にする。ユーザーが、関心対象の特定のジャンルに集中した後、ユーザーは、チャンネル選択スペクトルを使用することにより、その特定のジャンルの様々なチャンネルを効率的にナビゲートする（例えば、径方向の動きを介してナビゲートする）ことができる。
【００１９】
図１は、メディア選択インターフェース１００の一つの実施の形態を示す。メディア選択インターフェース１００は、カテゴリー選択要素１０４と円弧型マルチメディアアセット選択スペクトル１０２とを含む。１つの例示的な実施の形態では、円弧型マルチメディアアセット選択スペクトル１０２は、ユーザーから径方向の動きに基づく選択を受け取るように構成される。カテゴリー選択要素１０４は、選択されたカテゴリー（例えば、ニュース）を表示するためのカテゴリー表示部分１２２と、第１の方向（例えば、順方向）でカテゴリーを変更するための第１のカテゴリー選択アロー１０８と、第２の方向（例えば、逆方向）でカテゴリーを変更するための第２のカテゴリー選択アロー１０６とを含む。一例では、第１のカテゴリー選択アロー１０８を選択することによって、選択されたカテゴリーは、ニュースからスポーツに変更される。
【００２０】
更に、円弧型マルチメディアアセット選択スペクトル１０２は、チャンネルを表す複数の離散的なインターバルを含む。具体的には、図１をやはり参照すると、円弧型マルチメディアアセット選択スペクトル１０２は、チャンネル１５１〜１７１にそれぞれ対応する離散的なインターバル１５１〜１７１を含む。
【００２１】
また、メディア選択インターフェース１００は、或る数及び或るタイプの要素を有するものとして図示され、説明されるが、実施の形態はそのようには限定されない。つまり、メディア選択インターフェース１００は、図示される要素以外の要素を含んでもよく、更に、図示される要素を複数含んでもよい。例えば、メディア選択インターフェース１００は、２１のチャンネルに対応する２１の離散的なインターバルを有するものとして本明細書で示されるものの、メディア選択インターフェース１００は、チャンネルを表す、より多くの、又はより少ない離散的なインターバルを含むことが可能である。更に、メディア選択インターフェース１００は、テレビチャンネルという文脈の下で示されるが、実施の形態はそのように限定されない。実施の形態は、音楽メディア、ＶＯＤ（ビデオオンデマンド）メディア及びその他のタイプのメディアに適用可能である。
【００２２】
図１をやはり参照すると、一つの実施の形態において、カテゴリーはニュースに設定される。この設定によれば、ニュースチャンネルに対応する離散的なインターバルだけが強調表示される。一例では、離散的なインターバル１５５、１５６、１５８、１６０、１６８、１６９は、ニュースチャンネルに対応していて強調表示される。離散的なインターバル１５１、１５２、１５３、１５４などの他の離散的なインターバルは、ニュースチャンネルに対応せず、強調表示されないままにされる。一例では、ユーザーは、カテゴリー選択アロー１０６又はカテゴリー選択アロー１０８などのカテゴリー選択アローを使用することによって、カテゴリーを変更することができる。カテゴリー選択アロー１０６を選択することによって、スポーツなどの異なるカテゴリーが選択される。これに相応して、スポーツチャンネルに対応する離散的なインターバルが強調表示され、ニュースチャンネルに対応する離散的なインターバルは強調表示されない。
【００２３】
一例では、円弧型マルチメディアアセット選択スペクトル１０２の形状は、ユーザーが径方向の動きを用いて様々なチャンネルを容易にナビゲートすることを可能にする。メディア選択インターフェース１００は、タッチスクリーンリモコン装置と連携して機能する。ユーザーは、円弧型マルチメディアアセット選択スペクトル１０２を表示するタッチスクリーンリモコン装置の諸部分に沿ってユーザーの指を動かして、様々なチャンネルをナビゲートすることができる。例えば、ユーザーは、ユーザーの指又は親指を用いてダイヤルを回す円形の動きを与えて、選択されたカテゴリーのチャンネルをブラウズすることができる。他の利点もあるが、とりわけ、円弧型マルチメディアアセット選択スペクトル１０２は、より効率的で、より人間工学的なインターフェースをもたらす。
【００２４】
メディア選択インターフェース１００は、ディスプレイ装置（例えば、テレビディスプレイ及び／又はコンピューターディスプレイ）と連携して機能する。具体的には、リモコン装置のタッチスクリーン表面上に表示されることに加えて、メディア選択インターフェース１００は、テレビスクリーン上にも表示される。タッチスクリーン表面は、限られた表示領域のため、メディア選択インターフェース１００の簡略化された（例えば、不完全な）バージョンを示すことがあるが、テレビスクリーンは、メディア選択インターフェース１００の簡略化されていない（例えば、完全な）バージョンを示すことが可能である。テレビディスプレイは典型的には大型なので、テレビスクリーン上にメディア選択インターフェース１００を表示することによって、ユーザーは、一層容易に様々なチャンネルを見ることができ、様々なチャンネルをナビゲートすることができる。
【００２５】
ユーザーが、円弧型マルチメディアアセット選択スペクトル１０２に沿ってユーザーの指又は親指を動かす際、強調表示されていない離散的なインターバル（例えば、離散的なインターバル１５１、１５２、１５３、１５４、１５７、１５９、１６１、１６２、１６３、１６４、１６５、１６６、１６７、１７０、１７１）は、自動的に無視される。つまり、ユーザーが、円弧型マルチメディアアセット選択スペクトル１０２に沿ってユーザーの指を動かしている際に、離散的なインターバル１５５、１５６、１５８、１６０、１６８、１６９を除いて、すべての離散的なインターバルが自動的に無視される。このようにして、ユーザーは、関心対象のチャンネルを一層効率的にブラウズし、関心のないチャンネル（例えば、離散的なインターバル１５１、１５２、１５３、１５４、１５７、１５９、１６１、１６２、１６３、１６４、１６５、１６６、１６７、１７０、１７１）で時間を無駄にしないことが可能である。
【００２６】
円弧型マルチメディアアセット選択スペクトル１０２に沿って指を動かすユーザーは、強調表示された離散的なインターバル１５５へまず向かわされる。離散的なインターバル１５１、１５２、１５３、１５４は自動的に無視される。ユーザーが、強調表示された離散的なインターバル１５５を通過してユーザーの指を動かし続けると、次いで、ユーザーは、強調表示された離散的なインターバル１５６へ向かわされる。ユーザーが時計方向に動き続けた場合、離散的なインターバル１５７が無視され、ユーザーは、強調表示された離散的なインターバル１５８に向かわされ、以下、利用可能なすべてのチャンネルをユーザーがブラウズするまで、同様の動作が行われる。
【００２７】
一つの実施の形態では、メディア選択インターフェース１００はループバック機能を有し、ユーザーが、利用可能な最後のチャンネルまで「ダイヤル」し終えた場合、ユーザーは、利用可能な最初のチャンネルに戻るように自動的に導かれる。一例では、ユーザーが、強調表示されたチャンネル１６９を過ぎて「ダイヤル」すると、ユーザーは、チャンネル１５５へ自動的に向かわされる。
【００２８】
図２は、直線型メディア選択インターフェース２０４の一つの実施の形態を示す。図２は、ディスプレイ２０２（例えば、コンピューターディスプレイ、テレビディスプレイ及び／又はタッチスクリーン装置ディスプレイ）を示す。直線型メディア選択インターフェース２０４はディスプレイ２０２上に表示され、カテゴリー表示部分２０６（例えば、いま放送中の映画）と、いま選択されているチャンネルを正確に特定する現在チャンネルインジケータードット２０８と、直線型チャンネル選択スペクトル２０１とを含む。直線型チャンネル選択スペクトル２０１は、ユーザーから、左／右の動きに基づく選択を受け取るように構成される。一部の実施の形態では、直線型チャンネル選択スペクトル２０１は、垂直に（図２に示される水平方向ではなく）表示され、ユーザーから、上方／下方の動きに基づく選択を受け取るように構成される。メディア選択インターフェース２０４は、タッチパッドと連携して機能することが可能であり、ユーザーからの左／右の動きがタッチパッドを介して受け取られて選択コマンドに変換される（例えば、ユーザーからの一般的に右向きの動きが、いま選択されているチャンネルの右側のチャンネルにナビゲートするコマンドとして変換される）。ユーザーは、直線型チャンネル選択スペクトル２０１を表示するタッチスクリーン表面の諸部分に沿ってユーザーの指を動かして、異なるチャンネルをナビゲートすることができる。タッチスクリーンリモコン装置を含むがそれに限定されないリモコン装置を使用して、ユーザーは、テレビディスプレイ上に及び／又はコンピューターディスプレイ上に表示される直線型メディア選択インターフェース２０４を制御することができる。
【００２９】
更に、直線型チャンネル選択スペクトル２０１は、チャンネルを表す複数の離散的なインターバルを含む。具体的には、図２をやはり参照すると、直線型チャンネル選択スペクトル２０１は、チャンネル２５１〜２７６に対応する離散的なインターバル２５１〜２７６を含む。
【００３０】
一つの実施の形態では、これらの離散的なチャンネルは、チャンネルアイランド２０７、２０９、２１１、２１３に分けられる。また、ユーザーが、チャンネルアイランド２０７、２０９、２１１、２１３の位置について視覚的及び空間的な基準を有するように、ユーザーに手がかりを与えるギャップ２１０、２１２、２１４が存在する。チャンネルアイランドは、チャンネルを編成してグループ化するのに利用される。チャンネルアイランド２０７は音楽チャンネルブロックであり、チャンネルアイランド２０９は映画ブロックであり、チャンネルアイランド２１１は有料放送ブロックであり、チャンネルアイランド２１３はアニメブロックである。
【００３１】
図２をやはり参照すると、一つの実施の形態では、カテゴリーは放送中の映画に設定される。この設定によれば、映画を流しているチャンネルに対応する離散的なインターバルだけが強調表示される。離散的なインターバル２５２、２５５、２５６、２６３、２６６、２６７、２６９、２７３、２７５が、映画を流しているチャンネルに対応し、強調表示される。放送中の映画に対応しないその他の離散的なインターバルは強調表示されないままにされる。更に、図１で前述した機能のいずれか又はすべてを、メディア選択インターフェース２０４に適用することができ、逆に、インターフェース２０４の機能のいずれか又はすべてを、図１で説明した機能のいずれか又はすべてに適用できることに留意されたい。
【００３２】
図３Ａと図３Ｂは、動作中のテレビ選択インターフェース３００の一つの実施の形態を示す。テレビ選択インターフェース３００は、テレビジャンル選択機構３０２と、選択されたテレビジャンルを表示するためのテレビジャンル表示部３０８と、順方向でテレビジャンルを変更するための第１のテレビジャンル選択アロー３０６と、逆方向でテレビジャンルを変更するための第２のテレビジャンル選択アロー３０４と、複数の利用可能なテレビチャンネルを示すチャンネルスペクトル３１０とを含む。一つの実施の形態では、ユーザーは、チャンネルスペクトル３１０上で利用可能な様々なチャンネルの間で「ダイヤル」することができる。１つの特定の実施の形態では、テレビ選択インターフェース３００は、タッチスクリーン装置と連携して機能し、ユーザーは、一般的に円状にユーザーの親指を動かして、チャンネルスペクトル３１０上で利用可能なチャンネルを「ダイヤル」することができる。
【００３３】
図３Ａを参照すると、スポーツジャンルが選択されている。チャンネル３１２、３１４、３１６がスポーツチャンネルであり、スポーツジャンルの下で分類されているので、チャンネル３１２、３１４、３１６が強調表示される。ユーザーが、チャンネルスペクトル３１０の中をダイヤルする際、強調表示されていないチャンネルは自動的に無視される。このため、利用可能なすべてのスポーツチャンネルを迅速にブラウズすることを所望するユーザーは、非スポーツチャンネルによって邪魔されない。
【００３４】
一例では、ユーザーは、第１のテレビジャンル選択アロー３０６を選択して、テレビジャンルを順方向でスポーツから映画に変更する。次に図３Ｂを参照すると、映画ジャンルが選択されており、チャンネル３１８、３２０、３２２が映画チャンネルであり、映画ジャンルの下で分類されているので、この場合、チャンネル３１８、３２０、３２２が強調表示される。テレビ選択インターフェース３００が、タッチスクリーン装置（例えば、タッチスクリーンテレビリモコン）と連携して機能し、ユーザーは、チャンネルスペクトル３１０の中を「ダイヤル」して、利用可能なすべての映画チャンネル（例えば、チャンネル３１８、３２０、３２２）をブラウズすることができ、非映画チャンネルによって邪魔されることがない。
【００３５】
図４Ａ及び図４Ｂは、動作中のテレビ選択インターフェース４００及びディスプレイ４１６の一つの実施の形態を示す。図３Ａ及び図３Ｂは、ユーザーがテレビジャンルを変更する例を提供するが、図４Ａ及び図４Ｂは、ユーザーが或る特定の選択されたジャンル内でチャンネルを変更する例を提供する。一例では、テレビ選択インターフェース４００は、ディスプレイ４１６を制御するタッチスクリーンリモコンと連携して機能する（ディスプレイ４１６は、例えば、タッチスクリーンリモコンと一体化されたディスプレイ、テレビディスプレイ、及び／又はコンピューターディスプレイである）。具体的には、利用可能なテレビチャンネルのナビゲーションを円滑にするために、テレビ選択インターフェース４００が、タッチスクリーンリモコンのディスプレイ表面上に示される。異なる例では、テレビ選択インターフェース４００はテレビディスプレイと連携して機能する。テレビ選択インターフェース４００は、テレビジャンル選択機構４０２と、選択されたテレビジャンル（例えば、映画）を表示するための表示部４０４と、ディスプレイ４１６と、順方向でテレビジャンルを変更するための第１のテレビジャンル選択アロー４０６と、逆方向でテレビジャンルを変更するための第２のテレビジャンル選択アロー４０８と、複数の利用可能なテレビチャンネルを示すチャンネル選択スペクトル４３０とを含む。一つの実施の形態では、ユーザーは、チャンネル選択スペクトル４３０上で利用可能な様々なチャンネルをスクロールすることができる。表示部４０４は、ジャンルと、当該ジャンル内のチャンネル番号とを示す。表示部は、視聴者が映画ジャンルのチャンネル４１０を視聴していることを視聴者に示す「映画（チャンネル４１０）」を示している。
【００３６】
図４Ａを参照すると、視聴者はチャンネル４１０を選択しており、これに応じて、ディスプレイ４１６はメディアコンテンツ４１８を表示している。図４Ｂを参照すると、視聴者がチャンネル４１２までスクロールすると、ディスプレイ４１６はメディアコンテンツ４２０に遷移し、コンテンツ４２０を表示する。また、図１及び図２におけると同様に、前述した機能のいずれか又はすべてをメディア選択インターフェース４００に適用することができ、逆に、インターフェース４００の機能のいずれか又はすべての機能を、前述した機能のいずれか又はすべてに適用することができることに留意されたい。
【００３７】
更に、前述したとおり、実施の形態はテレビコンテンツに限定されるものではなく、オーディオメディアなどの他のタイプのメディアにも同様に適用可能である。このため、チャンネル選択スペクトルは、様々なオーディオチャンネルをナビゲートするのに利用されることができる。
【００３８】
図５Ａと図５Ｂは、動作中の音楽選択インターフェース５００の一つの実施の形態を示す。音楽選択インターフェース５００は、音楽ジャンル選択機構５０２と、選択された音楽ジャンル（例えば、クラシック）を表示するための表示部５０４と、順方向で音楽ジャンルを変更するための第１の音楽ジャンル選択アロー５０８と、逆方向で音楽ジャンルを変更するための第２の音楽ジャンル選択アロー５０６と、複数の利用可能な音楽チャンネルを示すチャンネル選択スペクトル５３０とを含む。一つの実施の形態では、ユーザーは、チャンネル選択スペクトル５３０上で利用可能な様々なチャンネルを「ダイヤル」することができる。表示部５０４は、ユーザーが何を選択しているかを示す。リスナーがクラシック音楽ジャンルのチャンネルを聴いていることをリスナーに示すよう、（図５Ａに図示されるとおり）表示部は「クラシック」を示している。
【００３９】
図５Ａを参照すると、リスナーは、クラシックジャンルを選択しており、チャンネル５１０を聴いている。クラシックジャンルが選択されている間、チャンネル５１０及び５１２が強調表示される。チャンネル５１２を聴くには、リスナーは、図５Ａに示されるとおり、チャンネル５１２に「ダイヤル」するだけでよい。リスナーが、異なるジャンルの音楽を聴くことを所望する場合、リスナーは、一例では、第１の音楽ジャンル選択アロー５０８を使用して、ジャンルをクラシックからジャズに変更することができる。次に図５Ｂを参照すると、ユーザーは、ジャンルをクラシックからジャズに変更している。この遷移の故に、異なるチャンネルセット（例えば、チャンネル５１４及び５１６）が強調表示される。ジャズジャンルが選択されている間、ユーザーは、チャンネル５１４とチャンネル５１６のいずれかを選択をすることができる。
【００４０】
図６は、メディア選択の方法の例示的な流れ図６０００を示す。特定のステップが流れ図６０００において開示されるが、そのようなステップは例示である。つまり、実施の形態は、他の様々なステップ又は追加のステップ、或いは流れ図６０００に記載されるステップの変形を実行することによく適している。流れ図６０００におけるステップは、提示されるのとは異なる順序で実行されることもできることが認識されよう。また、流れ図６０００におけるすべてのステップが実施される必要がある訳ではない。ブロック６０２０で、プロセスが開始する。メディア選択の方法は、テレビメディアだけでなく、音楽メディアにも適用可能である。
【００４１】
ブロック６０４０で、ユーザーインターフェースが表示される。ユーザーインターフェースは、複数のカテゴリーのうちの或るカテゴリーを選択するためのカテゴリー選択ツール（例えば、図１の１０６及び１０８）を有する。一つの実施の形態では、チャンネル選択スペクトルは楕円形であり、選択されたカテゴリーのチャンネルに対応する離散的なインターバルのサブセットは、チャンネル選択スペクトルの様々な角度位置に配置される。また、この楕円形のチャンネル選択スペクトルは、ユーザーからの径方向の動きを、選択されたカテゴリーのチャンネルに対応する離散的なインターバルのサブセットの中で「ダイヤル」するコマンドとして解釈するように構成される。
【００４２】
ブロック６０６０で、或るカテゴリー（例えば、ニュースカテゴリー）のユーザー選択が受け取られる。一例では、選択されたカテゴリーは複数のチャンネル（例えば、ニュースチャンネル１、ニュースチャンネル２、・・・、ニュースチャンネルＮ）を含む。
【００４３】
ブロック６０８０で、チャンネル選択スペクトルが表示される。一例では、チャンネル選択スペクトルは、図１の円弧型マルチメディアアセット選択スペクトル１０２のように円弧を有する。しかし、チャンネル選択スペクトルは円弧状に限定されないことに留意されたい。一部の実施の形態では、チャンネル選択スペクトルは直線形（例えば、図２の直線型チャンネル選択スペクトル２０１）である。一例では、径方向をベースとする動きを使用する代わりに、ユーザーは、単に上方／下方又は左／右の動きを使用して、利用可能な異なるチャンネルをナビゲートすることができる。一つの実施の形態では、チャンネル選択スペクトルは、各離散的なインターバルがチャンネルを表す複数の離散的なインターバルに分けられる。
【００４４】
ブロック６０９０で、選択されたカテゴリーのチャンネルに対応する離散的なインターバルのサブセットが表示される。これらの離散的なインターバルは、異なる仕方で視覚的に表されることも可能である。一つの実施の形態では、これらの複数の離散的なインターバルのうちの各離散的なインターバルは、長方形（例えば、図２の離散的なインターバル２６３）によって表される。離散的なインターバルは、アイコン（例えば、図２の離散的なインターバル２６３）を含むことが可能である。また、離散的なインターバルは、図１におけるように、線として視覚的に表されることも可能である。
【００４５】
ブロック６１００で、離散的なインターバルのサブセットが強調表示される。複数の離散的なインターバルは、利用可能なすべてのテレビチャンネルを表す。利用可能なカテゴリーのうちの或る特定のカテゴリーが選択されると、この複数の離散的なインターバルのサブセットが強調表示される。一例では、視聴に利用できるすべてのテレビチャンネルを表す３００個の離散的なインターバルが表示される。ユーザーが映画カテゴリーを選択すると、この選択は、映画カテゴリーの下に分類された２０個のチャンネルだけを強調表示し、残りの２８０個のチャンネルを強調表示しないままにする。また、チャンネル選択機構（例えば、チャンネル選択機構１０４）も、ユーザーが、離散的なインターバルのサブセットの中で効率的にナビゲートして、選択されたカテゴリーのチャンネルをブラウズすることを可能にする。
【００４６】
ブロック６１２０で、選択されていないカテゴリーからのチャンネルを表す強調表示されていない離散的なインターバルが自動的に無視される。更に、１つの例では、選択されていないカテゴリーからのチャンネルを表す離散的なインターバルを無視することに加えて、ユーザーによって禁止されたチャンネルに対応する他の離散的なインターバルも、自動的に無視される。例えば、親による規制により、不適切なチャンネルを自動的に無視するようにすることが可能である。
【００４７】
ブロック６１４０で、選択されたチャンネルに対応する離散的なインターバルの近傍にある離散的なインターバルが、視覚的に拡大される。メディア選択インターフェースが、タッチスクリーンリモコン装置と連携して機能している一つの例では、ユーザーが、チャンネル選択スペクトルに沿ってユーザーの指を動かすにつれ、ユーザーの指に近接する離散的なインターバルが視覚的に拡大される。この視覚的拡大により、ユーザーは、異なるチャンネルを容易に見て区別することができる。
【００４８】
更に、一つの実施の形態では、第１のタイプのメディアコンテンツを再生するチャンネルに対応する幾つかの離散的なインターバルの第１の離散的なインターバルが、第２のタイプのメディアコンテンツを再生するチャンネルに対応する複数の離散的なインターバルの第２の離散的なインターバルと視覚的に区別される。或るカテゴリーが選択されている期間に、同一のカテゴリーの異なるチャンネルを、異なるタイプのメディアに対応させることができる。映画カテゴリーが選択されている期間に、第１のチャンネルは映画を見せるテレビチャンネルであり、第２のチャンネルは映画サウンドトラックを再生する音楽チャンネルである。第１のチャンネルには、第１のチャンネルを第２のチャンネルと区別する異なるアイコンを割り当てることができる。具体的には、第１のチャンネルに映画アイコンを割り当てることができ、第２のチャンネルにサウンドトラックアイコンを割り当てることができる。
【００４９】
ブロック６１６０で、チャンネル（例えば、映画チャンネル５）のユーザー選択が受け取られる。ブロック６１８０で、ユーザーによって選択されたチャンネルに対応するメディアコンテンツ（例えば、ロッキーＩＩ）が再生される。ブロック６２００で、プロセスは終了する。
【００５０】
図７は、テレビチャンネル選択の方法に関する例示的な流れ図７０００を示す。ブロック７０２０で、プロセスが開始する。ブロック７０４０で、テレビジャンルを選択するための選択機構が表示される。選択機構は、一例では、図１のカテゴリー選択要素１０４と同様であり得るが、要素１０４に限定されるものではない。
【００５１】
ブロック７０６０で、テレビジャンルに関するユーザー選択が受け取られる。ブロック７０８０で、チャンネル選択インターフェースが表示される。チャンネルスペクトルはチャンネル選択インターフェースの一部分を占め、複数の離散的なセクション（例えば、チャンネルを表す個々の線又はブロック）に分けられる。一つの実施の形態では、この複数の離散的なセクションの少なくとも１つの離散的なセクション（例えば、線）が、選択されたテレビジャンル（例えば、映画）の幾つかのチャンネルのうちの或るチャンネルに対応する。選択されたテレビジャンルのチャンネル（例えば、ニュースチャンネル）は複数のグループに編成され、この複数のグループのうちの各グループは、選択されたテレビジャンルのサブジャンル（例えば、国際ニュース）を表す。
【００５２】
一つの実施の形態では、第１の組のメタデータを有する第１のチャンネルが、第２の組のメタデータを有する第２のチャンネルに関連付けられることができる。具体的には、第１の組のメタデータを第２の組のメタデータと比較して、第１のチャンネルと第２のチャンネルが類似しているかどうかが判定される。１つの特定の例では、第１のチャンネルは、第１のチャンネルを「カテゴリー：スポーツ、サブカテゴリー：ゴルフ」として記述する第１のメタデータを有する。第２のチャンネルは、第２のチャンネルを「カテゴリー：スポーツ、サブカテゴリー：野球」として記述する第２の組のメタデータを有する。第１のチャンネルに関するメタデータと、第２のチャンネルに関するメタデータとはスポーツに関係するので、第１のチャンネルを第２のチャンネルに関連付けることができる。
【００５３】
ブロック７１００で、第１のチャンネル（例えば、スポーツチャンネル１１）が表示される。ブロック７１２０で、径方向の動きに基づく入力がユーザーから受け取られる。一例では、チャンネル選択インターフェースがタッチスクリーンリモコン装置と連携して利用される。このため、ユーザーは、ユーザーの指又は親指を使用して、径方向の動きに基づく入力を与えることができる。ユーザーは、チャンネルスペクトルを表示しているタッチスクリーン表面の諸部分にわたってユーザーの指を動かすことによって、チャンネルスペクトルの中で「ダイヤル」することができる。選択されたテレビジャンルのチャンネルに対応する複数の離散的なセクションのうちの１つ又は複数の離散的なセクション（例えば、線）が強調表示される。また、ユーザーから径方向の動きに基づく入力を受け取ると、強調表示されていない離散的なセクションに対応するチャンネルは、ユーザーがチャンネルスペクトルに沿ってユーザーの指を動かす際に自動的に無視される。
【００５４】
ブロック７１４０で、径方向の動きに基づく入力に応答して、第２のチャンネル（スポーツチャンネル２７）に自動的に遷移され、第２のチャンネルが表示される。ブロック７１６０で、プロセスは終了する。
【００５５】
図８は、ＶＯＤセンター８０２からユーザーにＶＯＤコンテンツを配信するための例示的なシステム８００を示す。システム８００は、ＶＯＤセンター８０２と、ネットワーク８０４と、セットトップボックス８０６と、テレビ８０８と、コンピューティング装置１０００と、ディスプレイ９００と、タッチスクリーンリモコン装置９０４とを含む。ＶＯＤセンター８０２は、ネットワーク８０４を介してセットトップボックス８０６に結合される。セットトップボックス８０６は、ＩＰネットワーク上で双方向通信を提供すること、及び着信するビデオストリーミングメディアを復号することができるデジタルセットトップボックスであり得る。具体的には、セットトップボックス８０６は、ＶＯＤセンター８０２から受信された信号を、テレビ８０８及び／又はディスプレイ９００などのスクリーン上に表示されるべきコンテンツに変換することができる。ネットワーク８０４は、ハイブリッドファイバー同軸ネットワーク又は光ファイバーサービスネットワークなどのＶＯＤサービスネットワークであり得る。また、ネットワーク８０４は、ＩＰＴＶ（インターネットプロトコルテレビ）ネットワークであってよい。更に、ＶＯＤセンター８０２は、イメージを格納するためのビデオライブラリ、ビデオサーバー、データサーバー、プロセッサ及び／又はスイッチを含むことが可能である。
【００５６】
セットトップボックス８０６は、コンピューティング装置１０００及び／又はテレビ８０８に結合される。また、セットトップボックス８０６に結合されたタッチスクリーンリモコン装置９０４が、ユーザーがセットトップボックス８０６と対話することを可能にする。
【００５７】
図９は、コンピューティング装置１０００と協力して動作する１つの例示的なタッチスクリーンリモコン装置９０４を示す。図９を参照すると、コンピューティング装置１０００が、ディスプレイ９００（例えば、コンピューターディスプレイ）及びタッチスクリーンリモコン装置９０４と通信するように結合されている。ディスプレイ９００は、選択されているチャンネルに対応するメディアコンテンツ９０２を表示している。タッチスクリーンリモコン装置９０４は、メディア選択インターフェース１００（前段で詳細に説明した）と、ボタン９１２と、ボタン９１０と、ボタン９０８とを含む。ボタン９１２、９１０、９０８は、一例では、ユーザープログラマブルであり、様々な機能を実行するように調整されることが可能である。
【００５８】
前述したとおり、ユーザーは、円弧型マルチメディアアセット選択スペクトル１０２をナビゲートして、様々なチャンネルをブラウズすることができる。ユーザーは、一例では、ユーザーの手のひらの中にタッチスクリーン装置を保持し、タッチスクリーンリモコン装置９０４に沿って径方向にユーザーの指（又は親指）を動かして、様々なチャンネルをダイヤルすることができる。しかし、タッチスクリーンリモコン装置９０４は、図９に示される形状に限定されるものではない。実際、タッチスクリーンリモコン装置９０４は、様々なニーズに合うように様々に形成されることができる。一例では、タッチスクリーンリモコン装置９０４は、直線型チャンネル選択スペクトルと一緒に機能するように構成され、一般的に長方形を有する。ユーザーは、一例では、右／左方向又は上／下方向にユーザーの指を動かして、直線型チャンネル選択スペクトル上で利用可能な様々なチャンネルをスクロールすることができる。
【００５９】
図１０は、特許請求される主題を実施するための例示的なコンピューティング装置１０００を示す。コンピューティング装置１０００の最も基本的な構成において、コンピューティング装置１０００は、典型的には、少なくとも１つの処理装置１００２とメモリー１００４とを含む。コンピューティング装置の厳密な構成及びタイプに応じて、メモリー１００４は、揮発性（ＲＡＭなど）、不揮発性（ＲＯＭ、フラッシュメモリーなど）、又はこれら２つの何らかの組み合わせであることが可能である。この最も基本的な構成が破線１００６によって図１０に示される。
【００６０】
更に、装置１０００は更なる特徴／機能を有することもできる。例えば、装置１０００は、磁気ディスクもしくは磁気テープ、又は光ディスクもしくは光テープを含むがそれらに限定されない更なる記憶装置（取り外し可能な記憶装置及び／又は取り外し不可能な記憶装置）を含むこともできる。そのような更なる記憶装置が、取り外し可能な記憶装置１００８及び／又は取り外し不可能な記憶装置１０１０によって図１０に示される。
【００６１】
コンピューター記憶媒体には、コンピューター可読命令、データ構造、プログラムモジュール、又は他のデータなどの情報の格納のために任意の方法又は技術で実装された、揮発性媒体及び不揮発性媒体、取り外し可能な媒体と取り外し不可能な媒体が含まれる。メモリー１００４、取り外し可能な記憶装置１００８、及び取り外し不可能な記憶装置１０１０はすべて、コンピューター記憶媒体の例である。コンピューター記憶媒体には、ＲＡＭ、ＲＯＭ、ＥＥＰＲＯＭ、フラッシュメモリーもしくは他のメモリー技術、ＣＤ‐ＲＯＭ、ＤＶＤ（デジタルバーサタイルディスク）もしくは他の光ストレージ、磁気カセット、磁気テープ、磁気ディスクストレージもしくは他の磁気記憶装置、又は所望される情報を格納するのに使用されることが可能であり且つ装置１０００によってアクセスされることが可能な他の任意の媒体が含まれるが、それらに限定されない。任意のそのようなコンピューター記憶媒体が、装置１０００の一部であることが可能である。装置１０００は、媒体選択アプリケーションプログラムのステップを実行するためのコンピューター実行可能命令を実行するのに利用されることができる。
【００６２】
また、装置１０００は、他の装置と通信することを可能にする通信接続１０１２を含むこともできる。特に、通信接続１０１２は、装置１０００が、図８のセットトップボックス８０６のようなセットトップボックスと通信することができるようにするセットトップボックスインターフェース１０１８を含む。通信接続１０１２は通信媒体の例である。通信媒体は、あらゆる情報配信媒体を含んでおり、典型的には、搬送波などの被変調データ信号又は他のトランスポート機構においてコンピューター可読命令、データ構造、プログラムモジュール又は他のデータを具体化する。「被変調データ信号」という用語は、信号内に情報を符号化するように特性の１つ又は複数が設定又は変更された信号を意味する。例として、限定としてではなく、通信媒体には、有線ネットワーク又は直接有線接続などの有線媒体、並びに音響媒体、ＲＦ媒体、赤外線媒体及びその他の無線媒体などの無線媒体が含まれる。本明細書で使用されるコンピューター可読媒体という用語には、記憶媒体と通信媒体が含まれる。
【００６３】
また、装置１０００は、キーボード、マウス、ペン及び／又は音声入力装置などの入力装置１０１４を有することもできる。具体的には、入力装置１０１４はタッチスクリーンリモコン装置９０４を含む。また、ディスプレイ（例えば、タッチスクリーン装置と一体化されたディスプレイ、テレビディスプレイ、及び／又は図９のディスプレイ９００）、スピーカー、プリンターなどの出力装置１０１６が含まれてもよい。これらすべての装置は当技術分野でよく知られており、本明細書で詳細に説明される必要はない。
【００６４】
以上の明細において、実施の形態は、実現形態ごとに異なり得る多数の特定の詳細事項を参照して説明されてきた。このため、特許請求される主題が何であり、本出願によって特許請求される主題であることが意図されているのが何であるかを唯一、排他的に示すのは、今後の補正を含め、請求項の特定の形態における、本出願に由来する請求項の組である。このため、特許請求の範囲に明確に記載されていない限定、要素、特性、特徴、利点、又は属性によって、そのような請求項が限定されるべきではない。したがって、本明細書及び図面は、限定するものとしてではなく、例示するものと見なされるべきである。
【図１】
2010516090.tif 000003
【図２】
2010516090.tif 000004
【図３Ａ】
2010516090.tif 000005
【図３Ｂ】
2010516090.tif 000006
【図４Ａ】
2010516090.tif 000007
【図４Ｂ】
2010516090.tif 000008
【図５Ａ】
2010516090.tif 000009
【図５Ｂ】
2010516090.tif 000010
【図６】
2010516090.tif 000011
【図７】
2010516090.tif 000012
【図８】
2010516090.tif 000013
【図９】
2010516090.tif 000014
【図１０】
2010516090.tif 000015
【国際調査報告】
2010516090.tif 000016
2010516090.tif 000017
2010516090.tif 000018